(57)【特許請求の範囲】
【請求項１】
移動通信システムにおいてショートメッセージのビリングを遂行する方法であって、メッセージを加入者に供給すべくショートメッセージサービスセンター(SMSC)へ送信し、このメッセージは、ショートメッセージサービスセンターのアドレス、受信者のアドレス及び発信アドレスを含み、ショートメッセージサービスセンター(SMSC)から移動通信システムを経て加入者の移動ステーション(MS)へメッセージを供給し、そして各々の転送されたショートメッセージごとに少なくとも１つの料金記録を形成する段階を含む方法において、
ショートメッセージの受信に対してビリングされるべき価格及びビリングの対象を直接的又は間接的に指示するためにショートメッセージに料金の通知を更に含ませ、そして
この料金の通知又はそれに基づいて定められた実際の料金通知を、ショートメッセージに基づいて形成される料金記録に含ませる、
という段階を更に含むことを特徴とする方法。
【請求項２】
ショートメッセージに基づいて形成される上記料金記録は、移動通信システムのショートメッセージゲートウェイＭＳＣ(SMS-GMSC)において形成される請求項１に記載の方法。
【請求項３】
上記料金通知は、ショートメッセージサービスセンター(SMSC)においてショートメッセージに含まれる請求項１又は２に記載の方法。
【請求項４】
ショートメッセージサービスセンター(SMSC)においてショートメッセージに含まれる上記料金通知は、アプリケーションプログラムから直接得られる請求項２に記載の方法。
【請求項５】
ショートメッセージに基づいて形成される上記料金記録は、ショートメッセージサービスセンター(SMSC)において形成される請求項１に記載の方法。
【請求項６】
移動通信システムにリンクされるべきショートメッセージサービスセンター(SMSC)であって、送信されたメッセージを、移動通信システムを経て加入者の移動ステーション(MS)へ中継するショートメッセージサービスセンターにおいて、このショートメッセージサービスセンター(SMSC)は、ショートメッセージに基づいて形成される料金記録に、ショートメッセージの受信に対してビリングされるべき価格及びビリングの対象を指示する料金の通知を含ませるように構成されたことを特徴とするショートメッセージサービスセンター。
【請求項７】
移動通信システムにリンクされるべきショートメッセージサービスセンター(SMSC)であって、送信されたメッセージを、移動通信システムを経て加入者の移動ステーション(MS)へ中継し、そしてショートメッセージに基づいて少なくとも１つの料金記録を形成するようなショートメッセージサービスセンターにおいて、このショートメッセージサービスセンター(SMSC)は、ショートメッセージに基づいて形成される料金記録に、ショートメッセージの受信に対してビリングされるべき価格及びビリングの対象を指示する料金の通知を含ませるように構成されたことを特徴とするショートメッセージサービスセンター。
【請求項８】
移動通信システムのショートメッセージゲートウェイＭＳＣ(SMS-GMSC)であって、ショートメッセージサービスセンター(SMSC)により送信されたショートメッセージを移動ステーション(MS)に中継すると共にそのショートメッセージに基づいて少なくとも１つの料金記録を形成するショートメッセージゲートウェイＭＳＣにおいて、このショートメッセージゲートウェイＭＳＣ(SMS-GMSC)は、ショートメッセージに基づいて形成される料金記録に、ショートメッセージの受信に対してビリングされるべき価格及びビリングの対象を指示する料金の通知を含ませるように構成されたことを特徴とするショートメッセージゲートウェイＭＳＣ。
【発明の詳細な説明】
発明の分野
本発明は、移動通信システムに係り、より詳細には、移動通信システムにおいてショートメッセージのビリング（料金請求）を遂行する方法に係る。この方法は、メッセージを加入者に供給すべくショートメッセージサービスセンターへ送信し、ショートメッセージサービスセンターから移動通信システムを経て加入者の移動ステーションへメッセージを供給し、そして各々の転送されたショートメッセージごとに少なくとも１つの料金記録を形成する段階を含む。
先行技術の説明
デジタル移動通信システムのトラフィックチャンネルに設定される通常のスピーチ及びデータ接続に加えて、システムの制御及び信号チャンネルに転送される短いデジタルデータメッセージ、即ちショートメッセージを実際の信号間に送信することができる。これらのメッセージは、一般に、ショートメッセージと称される。ショートメッセージを遂行するために移動通信システムに関連してショートメッセージサービスセンターが追加される。移動着信ショートメッセージに関連して、加入者は、ターミナルのキーボードによりショートメッセージを形成し、そしてターミナルは、信号チャンネル上をベースステーション及び移動交換センターを経てショートメッセージサービスセンターへショートメッセージを送信する。ショートメッセージサービスセンターは、ショートメッセージを別のネットワークへ中継するか、又は信号チャンネル上を移動通信ネットワークを経て別の加入者のターミナル又は別の行先へ中継する。
ショートメッセージを経て加入者に提供されるサービスも、増加の一途をたどっている。例えば、音声及びテキストモードで与えられるサービスの多くは、ショートメッセージと共に加入者に提供することができる。通常の移動着信(ＭＴ)及び移動発信（ＭＯ）ショートメッセージに加えて、加入者は、例えば、通知や宣伝や個人的な助言を受け、そしてそれらを自分の移動ステーションへ提供するソースに関する情報をオーダーすることができる。
現在まで、メッセージの送信者は、本質的にメッセージに含まれた送信者及び受信者情報に基づいて同じ単位料率でショートメッセージに対して料金請求されている。しかしながら、この方法は、ショートメッセージに関連したサービスが更に開発されるにつれて、不充分なものとなる。
サービスを提供できるようにするために、サービスプロバイダーは、サービスに対して適度な価格を請求しなければならず、そして同様に、サービスに対する加入者は、各サービスごとにその価値に比例する価格を支払うように準備しなければならない。サービスの製作及び利用を合理的なものにするために、サービスの価格は、その両面に関して正しいレベルになければならない。例えば、株取引相場及びそれに基づいてなされる分析に対して請求されるべき価格は、通常の移動着信型の移動着信ショートメッセージより高くなければならず、そしてそのサービスを利用する加入者は、その情報に対して適度な価格を支払うように準備することが明らかである。良識的なやり方で種々のサービスを提供しそして利用できるようにするために、ショートメッセージのビリングは、それに対応して多様化されねばならない。
これを解消するための提案は、サービスプロバイダー特有のビリングであり、加入者は、サービスを提供するソースアドレスから送信されたショートメッセージに対して常に所定の料率に基づいて料金請求される。しかしながら、これは、１つの同等のサービスに対して１つの行先アドレスを限定し、サービスプロバイダーの将来性を著しく制限する。例えば、同じメディアハウスが遠方で処理された株取引情報と簡単な天気レポートの両方を提供する場合には、サービスプロバイダーのアドレスのみをベースとするビリングシステムでは充分でない。
発明の要旨
本発明の目的は、ショートメッセージサービスにより実施されるサービスについてその提供されたサービスの価値に基づきビリングするための簡単且つ容易に実施される方法を提供することである。本発明の目的は、独立請求項１に記載の方法において、ショートメッセージの受信に対してビリングされるべき価格及びビリングの対象を直接的又は間接的に指示するためにショートメッセージに料金の通知を含ませ、そしてこの料金の通知又はそれに基づいて定められた実際の料金通知を、ショートメッセージに基づいて形成される料金記録に含ませることを特徴とする方法によって達成される。
又、本発明は、請求項６に記載の移動通信システムにリンクされるべきショートメッセージサービスセンターであって、送信されたメッセージを、移動通信システムを経て加入者の移動ステーションへ中継するショートメッセージサービスセンターにも係る。このショートメッセージサービスセンターは、ショートメッセージに基づいて形成される料金記録に、ショートメッセージの受信に対してビリングされるべき価格及びビリングの対象を指示する料金の通知を含ませるように構成されたことを特徴とする。
又、本発明は、請求項７に記載の移動通信システムにリンクされるべきショートメッセージサービスセンターであって、送信されたメッセージを、移動通信システムを経て加入者の移動ステーションへ中継し、そしてショートメッセージに基づいて少なくとも１つの料金記録を形成するようなショートメッセージサービスセンターにも係る。このショートメッセージサービスセンターは、ショートメッセージに基づいて形成される料金記録に、ショートメッセージの受信に対してビリングされるべき価格及びビリングの対象を指示する料金の通知を含ませるように構成されたことを特徴とする。
又、本発明は、請求項８に記載の移動通信システムのショートメッセージゲートウェイＭＳＣであって、ショートメッセージサービスセンターにより送信されたショートメッセージを移動ステーションに中継すると共にそのショートメッセージに基づいて少なくとも１つの料金記録を形成するショートメッセージゲートウェイＭＳＣにも係る。このショートメッセージゲートウェイＭＳＣは、ショートメッセージに基づいて形成される料金記録に、ショートメッセージの受信に対してビリングされるべき価格及びビリングの対象を指示する料金の通知を含ませるように構成されたことを特徴とする。
本発明の好ましい実施形態は、従属請求項に記載する。
本発明は、ショートメッセージのビリング値に関する情報が、ショートメッセージに含まれた料金記録を形成するユニットに転送されるという考え方をベースとする。この情報は、直接的な料率データである。このデータは、料率クラスを指示するのが好ましく、これに基づいて、料金記録を形成するユニットは、正しい料率を決定することができる。ショートメッセージの料金記録を形成するこのユニットは、ビリングの役割を果たすユニットに通常送られる料金記録へ料率を転送する機能を含む。
本発明の解決策の効果は、ショートメッセージビリングを、メッセージ特有のやり方で異なる支払人に向け、そしてショートメッセージの内容に基づいて決定されるべき値に対応するように特定できることである。本発明の方法は、容易に実施できると共に、既存のシステムに著しい変更を生じさせない。
【図面の簡単な説明】
以下、添付図面を参照して本発明の好ましい実施形態を詳細に説明する。
図１は、ＧＳＭシステムの基本的な構造部分を示すブロック図である。
図２は、本発明の好ましい実施形態を示すブロック図である。
図３は、ＧＳＭ仕様に基づきショートメッセージの転送に使用されるプロトコルアーキテクチャーを示す図である。
図４は、本発明の方法を示すフローチャートである。
好ましい実施形態の詳細な説明
以下、本発明は、ＧＳＭ移動通信システム（移動通信用のグローバルシステムＧＳＭ）のショートメッセージサービスを一例として使用することにより説明するが、本発明は、同じ種類のメッセージサービスを使用する他の同様の無線システム、例えば、ＤＣＳ１８００（デジタルコミュニケーションシステム）及びＰＣＮ（パーソナルコミュニケーションネットワーク）や、ＥＩＡ／ＴＩＡ暫定規格に基づく移動通信システムにも適用できる。
図１は、ＧＳＭシステムの基本的な構造部分を簡単に示すが、それらの特徴やシステムの他の副次的部分については詳細に示さない。ＧＳＭシステムの詳細な説明については、ＧＳＭ推奨勧告及び文献「移動通信用のＧＳＭシステム(The GSM system for Mobile Communications)」、Ｍ．モーリ及びＭ．ポーテット、パライゼウ、フランス、１９９２年、ＩＳＢＮ：２−９５０７１９０−０−０−７を参照されたい。
移動交換センターＭＳＣは、入呼び及び出呼びのスイッチングを行う。これは、公衆電話ネットワーク（ＰＳＴＮ）のセンターによって行なわれるものと同様のタスクを実行する。更に、ＭＳＣは、移動電話トラフィックのみに典型的なオペレーション、例えば、加入者の位置管理を、ネットワークの加入者レジスタと協働して遂行する。ＧＳＭシステムの加入者レジスタは、ホーム位置レジスタＨＬＲ及びビジター位置レジスタＶＬＲと称される。ＨＬＲは、加入者データを永久的に記憶すると共に、ＭＳが位置するエリア内のＶＬＲに関する情報を記憶する。ビジター位置レジスタＶＬＲも、そのビジター位置レジスタＶＬＲに関連した移動交換センターＭＳＣのエリアに移動ステーションがいる間に移動ステーションＭＳの加入者データを一時的に記憶する。通常、１つのＶＬＲが１つの移動交換センターＭＳＣにサービスする。移動ステーションＭＳは、ベースステーションシステムＢＳＳによってセンターＭＳＣに接続される。ベースステーションシステムＢＳＳは、ベースステーションコントローラＢＳＣ及びベースステーションＢＴＳを含む。１つのベースステーションコントローラＢＳＣを使用して多数のベースステーションＢＴＳが制御される。
各ベースステーションＢＴＳは、１つ以上の搬送波対を有し、これにより、そのエリアでローミングしている移動ステーションＭＳとの二重無線接続を設定することができる。各搬送波は、多数の、一般的に８つのＴＤＭＡタイムスロット、即ちチャンネルに分割される。これらＧＳＭシステムチャンネルは、２つの分類、即ちトラフィックチャンネル（ＴＣＨ）と、制御又は信号チャンネル（ＣＣＨ）とに分割することができる。スピーチ又はデータは、トラフィックチャンネルを経て通信することができ、そしてトラフィックチャンネルは常に１つのコールのみに割り当てられる。制御又は信号チャンネルは、システム制御に必要な信号に使用される。ベースステーションＢＴＳと、ベースステーションコントローラＢＳＣと、移動交換センターＭＳＣとの間には、固定の信号及びトラフィックチャンネルが存在する。
多数の形式の制御チャンネルが存在する。ブロードキャスト制御チャンネルＢＣＣＨは、ベースステーションＢＴＳから移動ステーションＭＳへ至る一方向性の制御チャンネルであり、使用される効果的レベルに関するセル特有の情報や、隣接セルのＢＣＣＨ周波数等を移動ステーションへ送信するのに使用される。又、ＢＣＣＨチャンネルは、同期及び周波数修正に関するデータも含み、これにより、移動ステーションがシステムにロックされる。
移動ステーションＭＳは、これがロックされると、信号接続を設定するためにのみ使用される共通制御チャンネルＣＣＣＨにおいてベースステーションＢＴＳのコールを聴取する。接続は、多数の段階で確立される。即ち、１）ベースステーションＢＴＳから移動ステーションＭＳへコールを送る。２）コールを受け取ったことにより移動ステーションＭＳにより発生されるランダムアクセスを送信するか、さもなくば、移動ステーションからベースステーションＢＴＳへランダムアクセスを送信する。３）スタンドアローンの専用制御チャンネルＳＤＣＣＨを接続に割り当てる。ベースステーションと移動ステーションＭＳとの間の実際の信号送信は、ＳＤＣＣＨ制御チャンネルにおいて行なわれる。ＳＤＣＣＨチャンネルの信号がコール設定信号である場合には、接続がトラフィックチャンネルＴＣＨへ転送される。
パラレルの制御チャンネルＳＡＣＣＨ（低速関連制御チャンネル）は、ベースステーションＢＴＳと移動ステーションＭＳとの間のデータ又はスピーチ送信に対して定義されたトラフィックチャンネルＴＣＨ、又はそれらの間の信号送信に対して定義された接続特有の制御チャンネルＳＤＣＣＨと共に使用される。パラレル制御チャンネルは、主として、移動ステーションからベースステーションＢＴＳへの接続中に移動ステーションＭＳにより行なわれる測定の送信に使用される。
ＧＳＭ移動通信システムでは、ＳＤＣＣＨ及びＳＡＣＣＨ制御チャンネルは、ショートメッセージとして知られている短いデジタルデータメッセージを、移動ステーションＭＳと、システムにリンクされたショートメッセージサービスセンターＳＭＳＣとの間で送信するのに使用される。ショートメッセージサービスセンターとは、ＧＳＭシステムにリンクされたセンターであって、これを経てショートメッセージが送信されると共に、受信者に到達しない場合には後で送信するようにそこに記憶できるようなセンターである。ショートメッセージは、ショートメッセージサービスセンターとして働く１つ以上の移動交換センターＳＭＳ−ＧＭＳＣを経てＧＳＭシステムに送信される。ＧＳＭ推奨勧告では、ＧＭＳＣという用語は、移動着信（ＭＴ−ＳＭＳ）ショートメッセージを供給するゲートウェイＭＳＣを指し、そして対応的に、ＩＷ−ＭＳＣという用語は、移動発信（ＭＯ−ＳＭＳ）メッセージを送信するゲートウェイＭＳＣを指す。以下、これらのゲートウェイＭＳＣは、ショートメッセージゲートウェイＭＳＣ  ＳＭＳ−ＧＭＳＣという用語で表わす。
ＧＳＭシステムでは、ショートメッセージは、最大長さ１４０バイトのデータメッセージである。ショートメッセージは、移動着信ＭＴ供給であるか又は移動発信ＭＯショートメッセージ送信である。又、ショートメッセージサービスを介してセルのブロードキャストを行うこともでき、これにより、メッセージは、１つ以上のセルのエリアにおいて全ての移動ステーションへ送信される。
移動ステーションＭＳがトラフィックチャンネルＴＣＨに接続を有する場合には、ショートメッセージがＳＡＣＣＨ制御チャンネルを経て送られる。さもなくば、ショートメッセージは、ＳＤＣＣＨ制御チャンネルに送られる。ＨＬＲ及びＶＬＲは、移動通信ネットワークにおいて、コールをルート指定するのと本質的に同様にショートメッセージをルート指定するのに使用される。
オペレータが移動通信システムのサービスについて加入者にビリングできるようにするために、各有料サービスに関する充分な量のデータを記憶するメカニズムがネットワークのトラフィック取扱い部分に配置される。接続に参加する移動交換センターにおいて、接続の料金を計算するのに充分な情報を含む接続特有の記録ＴＴ（トール・チケット）が、少なくともコールが終了するときに、各接続ごとに形成される。記録ＴＴの詳細な内容は、選択されたＭＳＣ技術及びオペレータのニーズに依存するが、全ての記録ＴＴは、当事者の識別子、コールの形式、本質的なルート情報、接続状態に関する情報、接続に関連した時刻及び時間巾、及びセル特有のデータを含むある基本的なデータを備えている。記録ＴＴは、ファイルとして移動交換センターのＩ／Ｏ装置に記憶され、ファイルは、更に処理するためにビリングシステムに対して合意されたやり方で転送される。記録ＴＴにおける１つのデータ項目は、接続の特性を記述し、即ちそれがコールであるか、ショートメッセージであるか、又は他のものであるかを記述する。通常、ショートメッセージのビリングは、現在まで、上記データに基づいて単位価格で行なわれている。
図２のブロック図は、本発明の好ましい実施形態を示す。図２は、情報サービスを提供するメディアハウスがアプリケーションプログラムＡＰＰ３を維持し、これにより、種々の異なる情報が、加入者の利用に対する加入者の要求に応じて、ショートメッセージを介して提供される状態を示している。情報の一部分は非常に簡単な基本的なデータであるが、一部分は貴重な情報であり、それを処理して供給するために、サービスプロバイダーは、その有益さを維持するための支払を要求する。
アプリケーションプログラムＡＰＰ３は、移動通信システムに関連して動作するショートメッセージサービスセンターＳＭＳＣに関連付けされる。ＧＳＭ仕様書は、移動通信システムのショートメッセージサービスセンターＳＭＳＣとショートメッセージゲートウェイＭＳＣとの間のインターフェイスに対して３つの別々のプロトコルを定義している。これら３つの別々のプロトコルの中で、本出願人のショートメッセージサービスセンターに一般に使用されるＯＳＩ２レイヤプロトコルは、本発明を特定するのに使用されるが、本発明をこのプロトコルに限定することはない。その手順に基づき、ショートメッセージサービスセンターＳＭＳＣ及びショートメッセージゲートウェイＭＳＣ  ＳＭＳ−ＧＭＳＣの中継機能は、ゲートウェイＭＳＣ又はショートメッセージサービスセンターのいずれかの側に配置される。この例では、ショートメッセージゲートウェイＭＳＣ  ＳＭＳ−ＧＭＳＣに配置され、ショートメッセージのビリング単位の形成も、ショートメッセージゲートウェイＭＳＣ  ＳＭＳ−ＧＭＳＣに配置される。
図３は、ＧＳＭ仕様に基づいてショートメッセージの転送に使用されるプロトコルアーキテクチャーを示す。ＧＳＭシステムでは、ＳＭ−ＴＰ（ショートメッセージ搬送レイヤプロトコル）は、ショートメッセージサービスセンターＳＭＳＣと移動ステーションとの間に定義されたプロトコルである。このプロトコルでは、ＳＭＳ−ＤＥＬＩＶＥＲメッセージは、ショートメッセージサービスセンターから移動ステーションへ送信されるデータメッセージであり、そして対応的に、ＳＭＳ−ＳＵＢＭＩＴは、移動ステーションからショートメッセージサービスセンターへ送信されるデータメッセージである。ＳＭ−ＲＰは、移動ステーションと、ＧＳＭネットワークの移動交換センターＭＳＣとの間のプロトコルレイヤであり、主として、基準及びアドレス情報に関連している。ＲＰ−ＭＴ−ＤＡＴＡメッセージは、移動ステーションに着信するＲＰレイヤのデータメッセージであり、そして対応的に、ＲＰ−ＭＯ−ＤＡＴＡメッセージは、移動ステーションから発信されるＲＰレイヤのデータメッセージである。
図３から明らかなように、ここに述べる実施形態では、ＲＬレイヤのメッセージに含まれたパラメータにより、ショートメッセージゲートウェイＭＳＣ  ＳＭＳ−ＧＭＳＣと、ショートメッセージサービスセンターＳＭＳＣとの間でデータ転送を行うのが実際的であるが、このデータ転送は、必ずしも移動ステーションＭＳへの転送ではない。パラメータは、ゲートウェイＭＳＣ  ＳＭＳ−ＧＭＳＣが料金記録に直接転送することのできる直接的な料率データを含むことができる。或いは又、パラメータは、ゲートウェイＭＳＣ  ＳＭＳ−ＧＭＳＣに記憶されたテーブルを指すのに使用されるインデックスを含んでもよく、そこから、ショートメッセージゲートウェイＭＳＣは、インデックスに関連した料率データを読み取り、そしてそれを料金記録へ転送するしてもよい。転送は、別のやり方で実施されてもよいことが当業者に明らかであろう。料率データは、少なくともビリング値がシステムのデフォールト値とは相違するショートメッセージに直接的又は間接的に含まれるのが重要である。
本発明によれば、アプリケーションＡＰＰ３は、加入者により要求されたデータ項目ＤＡＴＡ２を含むショートメッセージをショートメッセージサービスセンターＳＭＳＣへ送信するときに、そのメッセージにパラメータＰＡＲＡ２を含ませ、このパラメータは、移動通信システムの加入者がビリングされるべき送信データの料率ＴＦ２を指示する。ショートメッセージサービスセンターＳＭＳＣは、好ましくはＲＬレイヤデータメッセージパラメータの形態で、送信されるべきショートメッセージにパラメータＰＡＲＡ２を含ませる。
ショートメッセージがショートメッセージゲートウェイＭＳＣ  ＳＭＳ−ＧＭＳＣに到達すると、ゲートウェイＭＳＣは、通常移動ステーションへ送られるべきメッセージを中継する。公知技術によれば、ショートメッセージが受信されたという確認（ＲＰ−ＡＣＫ）を受け取ると、ショートメッセージゲートウェイＭＳＣは、記録ＴＴを形成し、これに基づいて、ショートメッセージの送信者は、ある固定の単位価格を請求する。本発明の解決策では、ショートメッセージゲートウェイＭＳＣ  ＳＭＳ−ＧＭＳＣは、メッセージがメッセージの価格を示すパラメータを含むかどうかチェックする。ショートメッセージがそのパラメータを含むことが示されるときには、ＭＳＣは、標準的なデータに加えて、ショートメッセージの料率に関する情報を含む記録ＴＴを形成する。その後、この記録ＴＴは、更に処理するために移動通信システムの通常のルーチンに基づいてビリングシステムへ転送される。記録ＴＴに含まれたデータに基づいて、ビリングシステムは、そのビリング情報を、送信者により定められた料金ＴＦ２でＭＳ加入者に向けることができる。
明らかなように、本発明の手順は、既存のルーチンを著しく変更する必要なく、ビリング情報をメッセージ特有のやり方でビリング遂行ユニットへ転送しそしてそこから先へと転送することができる。ビリングは、本質的に公知構成体を使用することにより同じネットワーク要素において遂行することができる。
図４は、本発明の方法を示すフローチャートである。ポイント１０において、アプリケーションＡＰＰ３は、移動通信ネットワークを経て移動ステーションＭＳへ中継されるべきショートメッセージをショートメッセージサービスセンターＳＭＳＣへ送信する。同時に、ショートメッセージサービスセンターＳＭＳＣは、このような情報が、加入者が料金請求されるところの受信に関連したものであるかどうか調べる。有料の情報である場合には（ポイント１５）、ショートメッセージサービスセンターは、ショートメッセージに関連した価格情報を指示するパラメータＰＡＲＡ２をショートメッセージに含ませる（ポイント２０）。無料の情報である場合には、ポイント２５への移行が直接生じ、そこで、メッセージがショートメッセージゲートウェイＭＳＣ  ＳＭＳ−ＧＭＳＣへ転送される。ゲートウェイＭＳＣは、そのメッセージを移動ステーションＭＳへ送信し（ポイント３０）、そしてメッセージ受信の確認を待機する（ポイント３５）。ショートメッセージに対して定義された限界時間内にメッセージが受信されない場合には、転送失敗の情報が料金記録に含まれると共に、統計上の目的で失敗の理由を指示するコードも含まれる（ポイント４０）。本発明によれば、確認が受け取られた場合に、ショートメッセージゲートウェイＭＳＣ  ＳＭＳ−ＧＭＳＣは、メッセージがパラメータＰＡＲＡ２を含むかどうかチェックする（ポイント４５）。メッセージがパラメータを含む場合には、ショートメッセージゲートウェイＭＳＣ  ＳＭＳ−ＧＭＳＣは、情報を記録ＴＴへ転送する（ポイント５０）。無料情報の場合には、料率が無視される（ポイント５５）。最終的に、ショートメッセージゲートウェイＭＳＣ  ＳＭＳ−ＧＭＳＣは、システムのデフォールト値に基づいて記録ＴＴを形成する（ポイント６０）。
上記実施形態において、記録ＴＴは、ショートメッセージを移動通信システムへ中継するショートメッセージゲートウェイＭＳＣ  ＳＭＳ−ＧＭＳＣにおいて形成された。記録ＴＴがショートメッセージサービスセンターＳＭＳＣにおいて形成されるシステムでは、料金データをショートメッセージに含ませる必要がなく、むしろ、ショートメッセージサービスセンターＳＭＳＣは、形成されている記録ＴＴにビリングデータを直接追加することができる。
上記の実施形態では、有料情報に関与しているという情報が、ショートメッセージに関連した料金請求を加入者に向けたが当業者に明らかなように、本発明の解決策では、料金請求を別のアドレスに向けることもできる。例えば、加入者が受信するように準備された広告は、ここに述べる解決策では、パラメータを追加することにより第３のアドレスへ向けることができ、従って、広告主は、オペレータによって中継されて顧客によって直接受け取られた情報についてのみ支払をすればよい。
本発明の方法を以上に説明したが、本発明の基本的な考え方は種々のやり方で実施できることが当業者に容易に明らかであろう。従って、本発明の実施形態に限定されるものではなく、請求の範囲内に種々変更し得るものである。
【図１】
0003996210.tif 000002
【図２】
0003996210.tif 000003
【図３】
0003996210.tif 000004
【図４】
0003996210.tif 000005